(57)【要約】      （修正有）【課題】キャリーバッグに取付可能な鞄であって、キャリーバッグから取り外して単独で使用する際にも良い外観を維持することができる鞄を提供する。【解決手段】鞄Ｂは、キャリーバッグＣの上部に載置され、キャリーバッグのバーハンドル５５に取付可能に構成される。鞄Ｂは、バーハンドル５５に止着される取付ベルト２０と、ポケット１０とを備える。取付ベルト２０は、使用時にはポケットから取り出し可能に、不使用時にはポケット１０に収容可能に、ポケットの内部に取り付ける。【選択図】図２
0003166588.tif 000002
【実用新案登録請求の範囲】
【請求項１】
キャリーバッグの上部に載置され、キャリーバッグのバーハンドルに取付可能に構成される鞄であって、
バーハンドルに止着される取付ベルトと、ポケットとを備え、
前記取付ベルトが、使用時には前記ポケットから取り出し可能に、不使用時には前記ポケットに収容可能に、前記ポケットの内部に取り付けられる
ことを特徴とするキャリーバッグに取付可能な鞄。
【請求項２】
前記取付ベルトが、前記バーハンドルに巻きつけられ、一対の連結具を相互に連結することにより前記バーハンドルに止着可能とすることを特徴とする請求項１に記載のキャリーバッグに取付可能な鞄。
【請求項３】
前記ポケットがファスナーによって開閉されるものであることを特徴とする請求項１または請求項２に記載のキャリーバッグに取付可能な鞄。
【考案の詳細な説明】
【技術分野】
【０００１】
本考案は、車輪と引き出し式のバーハンドルとを備えて車輪走行可能に構成されるキャリーバッグの上部に載置され、バーハンドルに取付可能な鞄に関する。
【背景技術】
【０００２】
旅行等に使用される車輪付き鞄のうち、必要時に引き出し可能なバーハンドルを備えたいわゆるキャリーバッグの使用時に、別の手荷物用鞄を、キャリーバッグの上部に載置して運搬することがある。
【考案の概要】
【考案が解決しようとする課題】
【０００３】
このような使用方法を予め想定した鞄に、キャリーバッグのバーハンドルを挿通させる等するための取付ベルト等を、外周側に横方向に配置させたものがあり、取付ベルトにバーハンドルを挿通させてキャリーバッグに対して固定すれば、移動中に鞄が転げ落ちることなどが防止されるため便利である。
【０００４】
しかし、そうした鞄は、当然キャリーバッグから取り外して単独で使用することもあるのであり、単独で使用する際に、取付ベルトが外周側に露出しているため、いかにもキャリーバッグ用のサブバッグに見えるのが具合が悪かった。
【０００５】
そこで本考案は、キャリーバッグに取付可能な鞄であって、キャリーバッグから取り外して単独で使用する際にも良い外観を維持することができるものを提供することを目的とする。
【課題を解決するための手段】
【０００６】
本考案に係る鞄は、キャリーバッグの上部に載置され、キャリーバッグのバーハンドルに取付可能に構成される鞄であって、キャリーバッグのバーハンドルに止着される取付ベルトとポケットとを備えて構成され、取付ベルトが、使用時にはポケットから取り出し可能に、不使用時にはポケットに収容可能に、ポケットの内部に取り付けられることを特徴とする。これによれば、キャリーバッグへの装着時には、取付ベルトをポケットから取り出してバーハンドルに止着することにより、キャリーバッグの車両走行中にキャリーバッグから落ちることを防止できる一方、キャリーバッグから取り外して単独使用する場合には、取付ベルトが傍からは視認できないようにポケットに収容することができるので、いかにもキャリーバッグ用のサブバッグというような外観を呈さず、良い外観を維持することができる。
【０００７】
上述の鞄において、取付ベルトは、キャリーバッグのバーハンドルに巻きつけられ、一対の連結具を相互に連結することによりバーハンドルに止着可能な構成とすることが望ましい。そうすれば、鞄をキャリーバッグの上部に載置した状態で、取付ベルトをポケットから取り出してバーハンドルの周囲に巻き付け、連結具を相互に連結するだけでキャリーバッグに取り付けられるので、例えば、バーハンドルを挿通させるように開放不能に固定された取付ベルト等を利用して鞄をバーハンドルに取り付ける場合と比較して、バーハンドルへの取付が容易となる。
【０００８】
また、上述の鞄において、ポケットをファスナーで開閉する構成とすれば、キャリーバッグから取り外した単独使用時にファスナーを閉じてしまえば、取付ベルトを完全に隠すことができるので、一層良い外観を維持することができる。
【考案の効果】
【０００９】
本考案に係るキャリーバッグに取付可能な鞄は、キャリーバッグから取り外して単独で使用する際にも、良い外観を維持することができる。
【図面の簡単な説明】
【００１０】
【図１】本考案の一実施形態であるキャリーバッグに装着可能な鞄の背面図である。
【図２】図１の鞄をキャリーバッグの上部に載置して、取付ベルトをキャリーバッグのバーハンドルに取り付けた状態の斜視図である。
【図３】図１の鞄の、ポケットのファスナーを閉じた状態の背面図である。
【考案を実施するための形態】
【００１１】
以下に本考案の一実施形態を図面に基づいて説明する。
【００１２】
本考案の一実施形態であるキャリーバッグＣに取付可能な鞄Ｂは、鞄本体１に肩掛け用の肩ベルト７が取り付けられたショルダーバッグとして形成されるもので、上面に設けられたファスナー５により開閉を行うものである。図１は、鞄Ｂの背面図を示している。実施形態の鞄Ｂは、可撓性を有する合成樹脂製生地等を縫製して製造されている。
【００１３】
図１および図３に示すように、鞄本体１の背面部３には、小物等を収容することができるポケット１０が設けられている。このポケット１０は、背面部３の外周壁を構成する鞄本体側パネル３ａの下側３分の２の領域であるポケット配置領域３ｂに、ポケット配置領域３ｂと略同形状に裁断された外側パネル１５が、ポケット１０の開口部１０ａを構成する上縁１５ａを除いた周縁において鞄本体側パネル３ａに縫製等により連結されて、２枚のパネル３ａ，１５の間の空間をポケット１０の収容部とするように形成されるものである。本実施形態においては、外側パネル１５の上縁１５ａと鞄本体側パネル３ａとを跨ぐように取り付けられるファスナー１２によりポケット１０を開閉する構成としている。
【００１４】
ポケット１０の内部には、キャリーバッグＣに取り付ける際に使用される取付ベルト２０が、使用時にはポケット１０から取り出し可能に、不使用時にはポケット１０に収容可能な態様で配設されている。本実施形態では、取付ベルト２０は、可撓性を有する素材からなる１本の帯状部材から形成され、図１および図３に示すように、ポケット１０の開口部１０ａ近傍の、外側パネル１５の上縁１５ａに覆われて隠れる位置において鞄本体側パネル３ａに連結されている。取付ベルト２０は、上述の位置において横方向に沿って配置され、中間部２０ｃにおいて縫製によって鞄本体側パネル３ａに連結されて、自由端となった両端側に、相互に着脱自在とした一対の連結部材３０が取り付けられ、キャリーバッグＣのバーハンドル５５に巻きつけた上でこの連結部材３０を連結することによりキャリーバッグＣへ止着させる構成である。実施形態では、取付ベルト２０の第一端部２０ａに連結部材３０としてのバックル３３の雄部３３ａ、第二端部２０ｂにバックル３３の雌部３３ｂが取り付けられており、雌部３３ｂは、取付ベルト２０の長さ調節を可能とする調節部３３ｃも一体的に備える構成としている。
【００１５】
このように構成された鞄Ｂを、旅行時等にキャリーバッグＣに取り付けて使用するには、背面部３に設けられたポケット１０のファスナー１２を開けて、中から取付ベルト２０を取り出した状態（図１の状態）でキャリーバッグＣの上部に載置し、図２に示すように取付ベルト２０をキャリーバッグＣのバーハンドル５５に巻きつけ、一対の連結部材３０としてのバックル３３（雄部３３ａ，雌部３３ｂ）を相互に連結してバーハンドル５５に取り付ける。
【００１６】
鞄Ｂを、キャリーバッグＣから取り外して単独で使用する場合には、バックル３３の連結状態を解除してバーハンドル５５から取付ベルト２０を外して、図３に示すように、取付ベルト２０をポケット１０内部に収容し、ファスナー１２を閉じる。こうすれば、取付ベルト２０は外部からは視認できなくなる。
【００１７】
本実施形態によるキャリーバッグＣに取付可能な鞄Ｂは、キャリーバッグＣのバーハンドル５５に止着される取付ベルト２０とポケット１０とを備えて構成され、取付ベルト２０が、使用時にはポケット１０から取り出し可能に、不使用時にはポケット１０に収容可能に、ポケット１０の内部に（本実施形態では、ポケット１０の開口部１０ａ近傍の、外側パネル１５の上縁１５ａに覆われて隠れる位置における鞄本体側パネル３ａに連結されて）、配設されている。これによれば、キャリーバッグＣへの装着時には、取付ベルト２０をポケット１０から取り出してバーハンドル５５に止着することにより、キャリーバッグＣの車両走行中にキャリーバッグＣから落ちることを防止できる一方、キャリーバッグＣから取り外して単独使用する場合には、取付ベルト２０が傍からは視認できないようにポケット１０に収容することができるので、いかにもキャリーバッグＣ用のサブバッグというような外観を呈さず、良い外観を維持することができる。
【００１８】
また、本実施形態の鞄Ｂでは、取付ベルト２０が、キャリーバッグＣのバーハンドル５５に巻きつけられ、両端２０ａ，２０ｂに取り付けられた一対の連結具３０を相互に連結することによりバーハンドル５５に止着可能な構成としている。これによれば、鞄ＢをキャリーバッグＣの上部に載置した状態で、取付ベルト２０をポケット１０から取り出してバーハンドル５５の周囲に巻き付け、連結具３０を相互に連結するだけでキャリーバッグＣに取り付けられるので、例えば、バーハンドル５５を挿通させるように開放不能に鞄本体１に固定された取付ベルト等を利用して鞄Ｂをバーハンドル５５に取り付ける場合と比較して、バーハンドル５５への取付が容易となる。
【００１９】
なお、本実施形態では、取付ベルト２０を、中間部２０ｃにおいて鞄本体１側に固定され、両端２０ａ，２０ｂに一対の連結具３０を備える一本の帯状部材として例示したが、取付ベルトの構成はこれに限るものではなく、例えば、２本の帯状部材をそれぞれ一端において鞄本体１側に固定し、それぞれの他端に、相互に連結可能な一対の連結具を取り付けたものとしてもよい。また、相互に連結可能とする一対の連結具３０としては、本実施形態で例示したバックル３３の他、スナップボタンや、面ファスナー等を使用できる。
【００２０】
また、本実施形態の鞄Ｂでは、ポケット１０がファスナー１２で開閉する構成としているので、キャリーバッグＣから取り外した単独使用時にファスナー１２を閉じてしまえば、取付ベルト２０を完全に隠すことができるので、一層良い外観を維持することができる。
【００２１】
しかしながら、ファスナー開閉式でなくとも、取付ベルト２０が、本実施形態におけるようにポケット１０を構成する外側パネル１５の上縁１５ａに覆われて隠れる位置に配置される等、不使用時にポケット１０に収容可能な態様であれば、開口１０ａを部分的にスナップボタン等で留めたり、開放状態としたりしてもよい。
【００２２】
上述の実施形態では、ポケット１０は、鞄本体１の外周壁を構成する鞄本体側パネル３ａ上に、外側パネル１５を重ねて配置して形成したものを例示したが、ポケット１０の構成はこれに限るものではなく、例えば、鞄本体１の外周壁にポケットの開口部となるスリットを形成し、外周壁の内周側に、このスリットすなわち開口部と連通するような袋状部材を取り付けて形成したポケットの内部に、取付ベルトを、使用時に取り出し可能に、不使用時には収容可能に取り付けてもよい。
【００２３】
また、上述の実施形態では、キャリーバッグＣに取付可能な鞄Ｂとしてショルダーバッグ形状のものを例示したが、一対の把手を備えて手提げにして使用するタイプの鞄や、一対の肩掛け用のベルトを備えて背負って使用するタイプの鞄にも、本考案は適用可能である。
【符号の説明】
【００２４】
１０  ・・・  ポケット
１２  ・・・  ファスナー
２０  ・・・  取付ベルト
３０  ・・・  連結具
５５  ・・・  バーハンドル
Ｂ  ・・・  鞄
Ｃ  ・・・  キャリーバッグ
【図１】
0003166588.tif 000003
【図２】
0003166588.tif 000004
【図３】
0003166588.tif 000005